(57)【要約】【課題】様々な花装飾具において発光演出を行うことが可能であり、かつ外観的に違和感を生じさせにくい発光花装飾具を提供する。【解決手段】主に花部材３５、葉部材３６、及び茎部材を備えるプリザーブド・フラワー３１で構成された花装飾体３と、茎部材を束ねて形成された把持部３２と、扁平な箱状を呈し内部に電池を内蔵し花装飾体３の後側に葉部材３６及び茎部材で挟持されて装着された電池ケース１４，１５、扁平な形状を呈し茎部材に装着された操作スイッチ８、花装飾体３の花部材３５の周辺に配設された複数のＬＥＤ、及び各部を電気的に直列に接続する電気配線２１，２２を備える発光装置２とを具備する。【選択図】図１
0003147721.tif 000002
【実用新案登録請求の範囲】
【請求項１】
複数の花部材、及び該花部材が取着され、互いに隙間を設けて配設された複数の装飾体ベース構成部材を備える花装飾体と、
前記花部材及び前記装飾体ベース構成部材を所定の向きに保持する支持部材と、
着接手段によって前記花装飾体に着脱可能に取着され、電力により発光する複数の発光体と、
略扁平な箱状を呈し、扁平形電池の収納に供され、前記装飾体ベース構成部材に配設された電池ケース、
及び該電池ケースとは別体に形成され、前記扁平形電池に電気的に接続された操作スイッチ
を備え、前記発光体に電力を供給する電力供給手段と
を具備し、
前記電池ケースは複数の前記装飾体ベース構成部材によって扁平面側で挟持されて保持されることを特徴とする発光花装飾具。
【請求項２】
複数の花部材、葉部材、並びに前記花部材及び前記葉部材が取着されており大略同方向に向けて配設される弾性を有する複数の茎部材を備える花装飾体と、
前記茎部材から下方に延びる支持部と、
着接手段によって前記花装飾体に着脱可能に取着され、電力により発光する複数の発光体と、
略扁平な箱状を呈し、扁平形電池の収納に供され、複数の前記葉部材または前記茎部材によって扁平面側で挟持されて保持された電池ケース、
及び該電池ケースとは別体に形成され、前記扁平形電池に電気的に接続された操作スイッチ
を備え、前記発光体に電力を供給する電力供給手段と
を具備することを特徴とする発光花装飾具。
【請求項３】
複数の花部材、該花部材が取着されるフレーム部材、及び柔軟な素材からなる帯状を呈し前記フレーム部材の適宜な箇所に着脱可能に取着されるリボン状部材を備える花装飾体と、
前記花部材が所定の向きで保持されるように前記フレーム部材を支持する支持部材と、
前記花装飾体に取着され、電力により発光する複数の発光体と、
略扁平な箱状を呈し、扁平形電池の収納に供され、前記リボン状部材及び前記フレーム部材の間に扁平面側で挟持されて保持される電池ケース、
及び該電池ケースとは別体に形成され、前記リボン状部材及び前記フレーム部材の間に挟持されて保持されており、前記扁平形電池に電気的に接続された操作スイッチ
を備え、前記発光体に電力を供給する電力供給手段と
を具備することを特徴とする発光花装飾具。
【考案の詳細な説明】
【技術分野】
【０００１】
本考案は、各種の花飾りやブーケ等の花装飾具であって、発光体を備えており発光演出を行うことが可能な発光花装飾具に関するものである。
【背景技術】
【０００２】
従来、造花の花束等の花装飾具に電球やＬＥＤを用いた発光装置が組み合わせられ、発光演出を行う発光花装飾具が知られている。例えば、特許文献１の布花装飾体は、筒状のグリップケースに電池を内蔵しハロゲンランプを備えた光源ユニットと、ハロゲンランプの光を誘導する光ファイバーの束に布製の造花の茎を止着した花束とによって構成されており、光ファイバーでハロゲンランプの光を誘導し、造花の様々な部位を発光させて発光演出を行うことができる。また、電源である電池をグリップケースの中に収容し把持部の中に隠蔽することによって、消灯時に発光装置の存在が気づかれにくくなっている。
【０００３】
【特許文献１】実開平１−８９９２０号
【考案の開示】
【考案が解決しようとする課題】
【０００４】
しかし、特許文献１の技術によれば、電池と光源のランプとを収容するためにペンライト状であって把持部を兼ねた光源ユニットが必要であった。既に把持部を備えたブーケを装飾体として使用して発光演出を行うときには、光源ユニットを既存の把持部等に沿わせて外付けにして装着するか、既存の把持部を除去する必要があった。しかし、ブーケの把持部を切除した場合には元の状態に復元することは困難であり、使用後にブーケを復元したいという希望がある場合には適用することができなかった。また、グリップケースを外付けにすると、外観的にブーケに異物が装着されている印象を与えてしまって演出の興趣を低下させる虞があった。さらに、外付けにした場合にはグリップケースが邪魔になるために把持しづらくなり、使用感が悪化する虞があった。このため、特許文献１の技術は、既存のブーケ等の花装飾具を装飾体として用いることが困難であった。
【０００５】
そこで、上記の実情を鑑み、本考案は、花装飾体に対する大幅な加工を施すことなく様々な花装飾具において発光演出を行うことが可能であり、かつ、異物が装着されているような外観的な違和感を発生させる虞を抑制し、使用感の悪化を防ぐことが可能な発光花装飾具を提供することを課題とするものである。
【課題を解決するための手段】
【０００６】
本考案の発光花装飾体は、「複数の花部材、及び該花部材が取着され、互いに隙間を設けて配設された複数の装飾体ベース構成部材を備える花装飾体と、前記花部材及び前記装飾体ベース構成部材を所定の向きに保持する支持部材と、着接手段によって前記花装飾体に着脱可能に取着され、電力により発光する複数の発光体と、略扁平な箱状を呈し、扁平形電池の収納に供され、前記装飾体ベース構成部材に配設された電池ケース、及び該電池ケースとは別体に形成され、前記扁平形電池に電気的に接続された操作スイッチを備え、前記発光体に電力を供給する電力供給手段とを具備し、前記電池ケースは複数の前記装飾体ベース構成部材によって扁平面側で挟持されて保持される」ことを特徴とする。
【０００７】
「花部材」としては、花を模して花弁やがく、雌しべ、雄しべ等がかたどられた造花や、実物の花を例示することができる。また、「花部材」は、花のみに限定されず、つぼみ、果実、穂など、花とともに装飾に利用可能なものであってもよい。
【０００８】
ここで、「花装飾体」としては、結婚式等で用いられる花束状のブーケを例示することができる。また、花束状のブーケに限らず、籠やバッグ等に花部材を備えたものや、花部材が組み合わせられた花輪なども例示することができる。その他にも、髪飾り等の装身具における花部材を備えた装飾体もまた「花装飾体」とすることができる。
【０００９】
また、「装飾体ベース構成部材」は、複数組み合わせられて電池ケースを挟持して保持する部材である。電池ケースを挟持して保持可能であれば形状は限定されず、例えば、花束状のブーケにおいては枝や茎を「装飾体ベース構成部材」であって、複数の枝や茎によって電池ケースを挟持するものを例示することができる。また、花をあしらったバッグや髪飾り等の装身具類においては、電池ケースを挟持可能な弾性を有する板状や箱状、網状などの部材を、「花部材」が装着される「装飾体ベース構成部材」とすることができる。複数の「装飾体ベース構成部材」は、相互に同形であってもよいし、異なる形状であってもよい。すなわち、本考案の発光花装飾具は、複数の全て同形の樹脂製の茎部材を「装飾体ベース構成部材」として備えるものであってもよいし、多数の茎部材と、茎部材を束ねるリボン状の部材とを「装飾体ベース構成部材」として備えるものであってもよい。
【００１０】
また、「支持部材」とは、使用者が手に持ったり、身体のいずれかの部位に装着することができるように構成された部分であり、花の茎を束ねて把持可能とした棒状の部分や、ブーケホルダー等の把持部を例示することができる。また、花装飾体を吊下げ可能なように花装飾体の上部に取着された持ち手や、花装飾体の側方や後方に突出させた把持部等であってもよく、種々の形状とすることができる。また、花装飾体を頭に装着するための帽子状の部材や、肩や胸などに装着するための係止部材であってもよい。「支持部材」は、花装飾体の装飾体ベース構成部材と別部材で構成されていてもよいし、ブーケの茎の部分のように装飾体ベース構成部材と連続して一体に設けられていてもよい。
【００１１】
「発光体」とは、電力によって発光するものであれば方式や形状が限定されるものではなく、ＬＥＤや電球を例示することができる。また、光ファイバー等の透光性を有する素材で形成された導光部材や鏡面を利用して光源から離れた所定の部位が発光するものであってもよい。
【００１２】
また、「着接手段」とは、花装飾体の花部材や装飾体ベース構成部材に対して発光体を着脱可能に取着する手段であり、その形状は特に限定されず、例えば、ヘアピンのようにＵ字状で弾性を有するフック部、複数の突部が並んで櫛形に突出した突出部、開閉可能な爪状の挟持部、あるいは発光体と装飾体ベース構成部材とを巻きつけて固定する紐状の部材など、花装飾体に対して発光体を着脱可能に取着するための種々の手段を含む。
【００１３】
また、「略扁平」とは、幅寸法や奥行寸法に対して厚み寸法の小さな薄型の形状を呈することを示す。また、「扁平面」とは、扁平な形状において相対的に他の面よりも広い一対の面を示す。
【００１４】
「電池ケース」とは、扁平形電池を収容し、電気配線等を通じて発光体に電力を供給することが可能なものを示す。なお、電池ケースは、電池を交換可能な開閉式の蓋がついているものが望ましいが、電池を封入した構造であってもよい。
【００１５】
「操作スイッチ」とは、電気回路を開閉することで発光体の点灯及び消灯を切換えることが可能であればよく、例えば、ボタン式であってもよいし、スライド式であってもよい。
【００１６】
本考案の発光花装飾具によれば、プリザーブド・フラワーや造花、あるいは生花などを素材とし、発光体を花装飾体に適宜配設した花装飾具において発光演出を行うことができる。発光体に電力を供給する電力供給手段は電源として電池を用いるものであり、電池ケースは、花装飾体の装飾体ベース構成部材によって扁平面側で挟持されており、操作スイッチは電池ケースとは別体に構成され適宜装着されている。
【００１７】
電池ケースは、扁平な箱状を呈しており、複数の装飾体ベース構成部材によって扁平面側で挟持され、花装飾体の中に一部または全部が入った状態で保持される。このため、装飾体ベース構成部材や花部材によって電池ケースが隠されるようになり、電池ケースを外観的に目立ちにくくすることができる。なお、電池ケースを配設する位置は、花装飾具の使用者に面した側である方が正面側から見たときに目立ちにくいのでより好ましい。また、電池ケースを装飾体ベース構成部材の隙間に全体的に挿入してしまうと外観をすっきりさせることができ、正面側だけでなく側方から見られても電池ケースを視認されにくくすることができるので特に好ましい。
【００１８】
また、本考案の発光花装飾具によれば、電池ケースは一部または全部が花装飾体に挿入された状態で装飾体ベース構成部材に挟持されて保持されるので、使用者が支持部材を把持したり身体に装着したりするときに身体に干渉する虞を抑制することができる。
【００１９】
さらに、本考案の発光花装飾具によれば、扁平な箱状の電池ケースが複数の装飾体ベース構成部材によって挟持されて保持されるため、把持部の略全体を電池の内蔵に充てた従来技術とは異なり、電池収容のために設けられるスペースを極めて小さくすることができ、ひいては電池ケースを内蔵するために花装飾体の造形が制約される虞を抑制することができる。
【００２０】
ところで、先述のように、従来の技術においては、電池ケースは花装飾具の把持部等に内蔵されており、あたかも普通のブーケ等の花が発光するかのような意表をついた発光演出を行うことが可能であったが、花装飾具に電池ケースを内蔵するためのスペースを設ける必要があった。これに対し、本考案の発光花装飾具によれば、扁平な箱状の電池ケースが装飾体ベース構成部材によって挟持されて保持されるので、花装飾具に電池を収容するためのスペースを特に設ける必要がなく、花装飾具に対する加工を省略することができる。
【００２１】
また、本考案によれば、既存のブーケ等の花装飾具においても、大幅な加工を施すことなく電池ケースを適宜配設し、花装飾体及び支持部材として使用することができる。例えば、従来の技術においては、既存のブーケに発光装置を装着するためには、把持部を切除して電池ケースを兼ねたグリップケースを装着する必要があったのに対し、本考案によれば、弾性を有する複数のブーケの茎や葉で電池ケースが挟持され保持されるようにし、発光体及び操作スイッチを適宜配設することで、既存の花装飾具を花装飾体及び支持部材として利用することができる。
【００２２】
また、従来は花装飾具を復元したいと希望しても、部分的に切除されてしまった花装飾具を元の状態に復元することは困難であった。これに対し、本考案によれば、既存の花装飾具に対する大幅な加工を施す必要がなく、利用する既存の花装飾具を容易に復元可能な状態に保つことができる。また、電池ケースは、花装飾体やブーケホルダー等の支持部材に内蔵されるものではなく、装飾体ベース構成部材によって挟持されて花装飾体に装着されており、着脱を容易にすることができる。さらに、発光体は着接手段によって取着されており、着脱可能となっている。これにより、既存の花装飾具を用いた場合の発光体及び電力供給手段の組み付けと取り外しとを容易にすることができる。
【００２３】
さらに、本考案の発光花装飾具によれば、操作スイッチは電池ケースとは別体になっているので、電池ケースの配設箇所を問わず操作スイッチを操作に適した位置に配設することが可能である。これにより、電池ケースを花装飾体の形状に応じて見えにくい場所や邪魔にならない場所に配設した場合にも操作性の低下を防ぐことができる。
【００２４】
なお、操作スイッチの装飾体ベース構成部材への取着方法は特に限定されるものではなく、例えば紐やワイヤー等で緊締してもよい。また、操作スイッチも電池ケースと同様に装飾体ベース構成部材によって挟持されて保持されるようにしてもよい。いずれの方法であっても、先述のように電池ケースと同じく、容易に除去可能であり、かつ花装飾具に対する加工を小さなものに留めることが望ましく、操作スイッチが装飾体ベース構成部材に対して着脱可能に取着されることがより望ましい。
【００２５】
また、本考案の発光花装飾具は、「複数の花部材、葉部材、並びに前記花部材及び前記葉部材が取着されており大略同方向に向けて配設される弾性を有する複数の茎部材を備える花装飾体と、前記茎部材から下方に延びる支持部と、着接手段によって前記花装飾体に着脱可能に取着され、電力により発光する複数の発光体と、略扁平な箱状を呈し、扁平形電池の収納に供され、複数の前記葉部材または前記茎部材によって扁平面側で挟持されて保持された電池ケース、及び該電池ケースとは別体に形成され、前記扁平形電池に電気的に接続された操作スイッチを備え、前記発光体に電力を供給する電力供給手段とを具備する」構成とすることができる。
【００２６】
ここで、複数の茎部材が「大略同方向に向けて配設される」とは、茎部材が交錯することなく、花部材が装着された側が揃うように茎部材の向きが合わせられて配設されることを意味する。従って、必ずしも厳密に同方向に茎部材を揃える必要はなく、茎部材の長手方向の一端側に花部材が位置するように揃った状態で、他端側が束ねられており花部材側が広がって配設されるものを含む。すなわち、意匠性を高めるために茎部材が支持部側から花部材側へと適宜広がるように配設され、茎部材同士がなす角が１８０度以内になる程度のものを含む。
【００２７】
本構成によれば、花装飾体の茎部材が弾性を有しており、複数の茎部材の間に隙間が出来ることを利用して、扁平形の電池ケースを茎部材及び葉部材の隙間に挟持して配設するので、電池ケースを配設するためにスペースを設ける必要がなく、花装飾具に対する加工の手間を減らすことができる。また、操作スイッチと電池ケースとが分離しているので、操作スイッチを使用者が操作しやすい位置に配設し、電池ケースを茎部材や葉部材の隙間の目立たない位置に配設することができる。
【００２８】
さらに、本考案の発光花装飾具は、「複数の花部材、該花部材が取着されるフレーム部材、及び柔軟な素材からなる帯状を呈し前記フレーム部材の適宜な箇所に着脱可能に取着されるリボン状部材を備える花装飾体と、前記花部材が所定の向きで保持されるように前記フレーム部材を支持する支持部材と、前記花装飾体に取着され、電力により発光する複数の発光体と、略扁平な箱状を呈し、扁平形電池の収納に供され、前記リボン状部材及び前記フレーム部材の間に扁平面側で挟持されて保持される電池ケース、及び該電池ケースとは別体に形成され、前記リボン状部材及び前記フレーム部材の間に挟持されて保持されており、前記扁平形電池に電気的に接続された操作スイッチを備え、前記発光体に電力を供給する電力供給手段とを具備する」構成とすることもできる。
【００２９】
ここで、「フレーム部材」は、花部材が取着される部分であれば、特に構造や形状が限定されるものではなく、様々な形状のものであってよい。例えば、花束状のブーケにおいては枝や茎を「フレーム部材」として示すことができる。また、花をあしらったバッグや髪飾り等の装身具類においては、板状や箱状、網状など様々な形状のものを、「花部材」が装着される「フレーム部材」とすることができる。
【００３０】
また、「リボン状部材」は、柔軟な素材で形成された帯状のものであればよく、リボンの他にも、ゴム製のベルト、無端の布製の帯、プラスチック製の薄幕からなる有端の帯など種々のものを例示することができる。有端の場合の長さは限定されず、短いものであってもよい。
【００３１】
本構成によれば、電池ケース及び操作スイッチは、フレーム部材に対して取着されたリボン状部材とフレーム部材とによって挟持されて保持される。リボン状部材は柔軟な帯状の素材であり、操作スイッチの形状に応じてボタン等を迂回するように配設することが可能である。また、リボン状部材を操作スイッチを覆うように設け、操作スイッチをリボン状部材の表面側からの押圧等によって操作可能とすることも可能である。
【００３２】
電池ケース及び操作スイッチは、リボン状部材によってフレーム部材の表面に押し当てられ、リボン状部材とフレーム部材の間に挟持されて保持される。リボン状部材は柔軟な帯状であり、押し当てられることでフレーム部材の形状に対応して変形し、フレーム部材に対して密に接するようになる。従って、電池ケース及び操作スイッチは、フレーム部材のどの部位に対して接するように配設された場合にも、リボン状部材とフレーム部材との間に挟み込まれて保持される。これにより、電池ケース及び操作スイッチを配設する位置を適宜決定することが可能となり、ひいては電池ケース及び操作スイッチの配設箇所の自由度を高めることができる。
【００３３】
さらに、本構成によれば、電力供給手段を花装飾具に対して着脱可能に取着するため、使用後に電力供給手段を容易に取り外すことができる。これにより、他の花装飾具における電力供給手段の再利用が容易である。また、電力供給手段を除去したときに花装飾体を損傷する虞を抑制することができる。
【考案の効果】
【００３４】
このように、本考案によれば、操作スイッチを電池ケースとは別体で形成し、電池ケースを装飾体ベース構成部材によって挟持して保持することにより、花装飾体に対する大幅な加工を施すことなく様々な花装飾具において発光演出を行うことが可能であり、かつ、異物が装着されているような外観的な違和感を発生させる虞を抑制し、使用感の悪化を防ぐことが可能な発光花装飾具を提供することができる。
【考案を実施するための最良の形態】
【００３５】
以下、本考案の実施形態である発光装置付ブーケについて、図１乃至図３に基づき詳細に説明する。図１（ａ）は、本実施形態の発光装置付ブーケの構成を示す斜視図であり、図２は、発光装置付ブーケに装着した発光装置の構成を示す説明図であり、図３は、発光装置の構成の模式図である。
【００３６】
図１（ａ）に示すように、発光装置付ブーケ１は、主としてプリザーブド・フラワー３１を束ねて構成されたラウンドブーケである花装飾体３に、発光装置２を装着して構成されている。プリザーブド・フラワー３１は、いずれも生花を加工して作られたものであり、複数の花部材３５は茎部材（図示しない）に一体的に接合している。複数の葉部材３６は花部材３５の後方を全体的に覆うように略放射状に組み合わせられて配設されており、布製で有端の帯状を呈するリボン部材３３が茎部材に結束され、葉部材３６の根元側の茎部材に取着された部分をリボン部材３３が覆っている。また、葉部材３６及び茎部材は弾力を有しており、葉部材３６はいずれも葉部材３６同士の間が互いに当接するか、あるいは電池ケース１４，１５（後述する）の厚さ寸法よりも狭い程度のわずかな隙間を残す位置関係で配設されている。リボン部材３３は装飾的な外観を呈するように蝶結び状に設けられている。茎部材はリボン部材３３の結束された部分よりも延びた部分に装飾テープが巻きつけられ１本の棒状に束ねられており、手で把持可能な把持部３２が構成されている。
【００３７】
発光装置２は、電池を収容した電池ケース１４，１５、電源スイッチ８、多数のＬＥＤ２５（図２参照）が、電気配線２０，２１で直列に接続されて構成されている。電源スイッチ８は、花装飾体３のリボン部材３３の装着された部位に対してワイヤー４１で結束され、扁平な裏面が当接するように茎部材に取着されている。電池ケース１４，１５は、花装飾体３の葉部材３６と茎部材との間で挟持されて保持されている。ここで、発光装置付ブーケ１が、本考案の発光花装飾具に相当し、把持部３２が、本考案の支持部材及び支持部に相当し、葉部材３６、及び茎部材が、本考案の装飾体ベース構成部材及びフレーム部材に相当する。
【００３８】
図１（ａ）及び図２（ａ）に示すように、花装飾体３の各部には、電気配線２２で相互に接続された多数のＬＥＤ２５が適宜配設されている。ＬＥＤ２５及び電気配線２２は、ワイヤー（図示しない）で花装飾体３の最寄の部位に結束されており、電気配線２２は消灯時に目立たないように葉部材３６や茎部材に沿わせて配設されている。ＬＥＤ２５は、プリザーブド・フラワー３１の茎部材に対して掛着部花部材３５の周囲に配設されており、ＬＥＤ２５を発光させると花弁に光を照射する。花装飾体３に散りばめられた多数のＬＥＤ２５が発光することにより、花装飾体３の多数の花部材３５が発光して見える発光演出を行うことが可能である。ＬＥＤ２５のベース部２９にはＵ字形を呈するフック状の掛着部２７が設けられており、茎部材、葉部材３６、花部材３５等に対して適宜掛着することができる。ここで、ＬＥＤ２５が、本考案の発光体に相当し、掛着部２７が、本考案の着接手段に相当する。
【００３９】
以下、図３に基き発光装置２についてさらに説明する。電池ケース１４，１５は、何れもポリプロピレン製の扁平な箱型を呈しており、同じくポリプロピレン製で可撓性を有する帯状の可撓連結部１６によって連結されている。電池ケース１４，１５は夫々に開閉可能な蓋（図示しない）が設けられており、内部には扁平形電池２３，２４が装填された電池ホルダー（図示しない）が夫々配設されている。扁平形電池２３，２４は、薄い円盤状を呈しており、扁平型電池２３，２４を電池ホルダーに収容した状態における厚みは５ｍｍ程度である。電池ケース１４，１５の側面には夫々電池ケースフック１８，１９が設けられており、必要に応じて茎部材等に対して掛着したり、糸やワイヤー等を電池ケースフック１８，１９に通して結束することで電池ケース１４，１５を花装飾体３に装着した状態で安定させやすくなっている。電池ケース１４，１５の間は先述のように可撓連結部１６で連結されているので、可撓連結部１６をたわませて、電池ケース１４，１５を花装飾体３の湾曲した外面に沿わせて配設することが可能である。
【００４０】
電池ケース１４及び電池ケース１５の夫々の電池ホルダーは、電気配線２０で電気的に接続されている。電池ケース１４の電池ホルダーと操作スイッチ８との間は電気配線２１で電気的に接続されており、ＬＥＤ２５と操作スイッチ８との間は電気配線２２で電気的に接続されている。これにより、電源である扁平形電池２３，２４、光源である複数のＬＥＤ２５、及び回路を開閉する操作スイッチ８がループ状に接続され、直列回路を構成する。
【００４１】
操作スイッチ８は、発光装置２の電気回路の開閉を行うためのスイッチであり、開閉ボタン１２を押圧する毎に電気回路が開閉され、ＬＥＤ２５が点灯状態と消灯状態とに切換えられる。操作スイッチ８は、扁平な箱状のハウジング１１の上面に開閉ボタン１２を備えており、側面には花装飾体３に取着する時に糸やワイヤー等を通すことが可能な一対の小フック１３が設けられている。操作スイッチ８と電池ケース１４との間は柔軟な電気配線２１で接続されており、操作スイッチ８は、電池ケース１４から離れた位置に配設することが可能であり、花装飾体３の外面形状に応じて操作しやすい位置に適宜配設することができる。本例においては、操作スイッチ８は、花装飾体３の把持部３２との境界に近接した位置に装着されている。このため、使用者は、把持部３２を把持した手の指で操作スイッチ８の開閉ボタン１２を押圧することが可能である。例えば、両手で把持部３２を把持しているときに、把持したままで花装飾体３に近い側の手の指で開閉ボタン１２を押すことにより、使用者のさりげない動作で発光装置２の点灯及び消灯を切換えることが可能である。ここで、操作スイッチ８、電池ケース１４，１５、電気配線２０，２１，２２、及び電池２３，２４を組み合わせたものが本考案の電力供給手段に相当する。
【００４２】
このように、本実施形態の発光装置付ブーケ１によれば、多数のＬＥＤ２５を花装飾体３の花部材３５、葉部材３６、茎部材に適宜配設して、プリザーブド・フラワー３１を用いたブーケにおいて発光演出を行うことができる。
【００４３】
また、本実施形態の発光装置付ブーケ１によれば、操作スイッチ８及び電池ケース１４，１５は、いずれも扁平な形状であり、複数の葉部材３６及び茎部材によって扁平面側で挟持される。電池ケース１４，１５は、正面側からは見えにくい使用者側の位置で部分的に隠れた状態で保持されるため、電池ケース１４，１５を外観的に目立ちにくくすることができる。また、操作スイッチ８及び電池ケース１４，１５は扁平な形状であるため、花装飾体３の後側に装着したときに正面側だけでなく側方側から見られた場合にも操作スイッチ８及び電池ケース１４，１５が目立ちにくくなり、外観的な違和感の発生を抑制することができる。
【００４４】
また、本実施形態の発光装置付ブーケ１によれば、電池ケース１４，１５は扁平な箱状を呈しており、複数の葉部材３６及び茎部材の間で挟持され、電池ケース１４，１５の扁平な底面が花装飾体３の外面に沿う向きに保持されるので、電池ケース１４，１５はかさばらず、使用者が把持部３２を把持するときに電池ケース１４，１５が手に干渉して把持の邪魔になる虞を抑制することができる。
【００４５】
さらに、本実施形態の発光装置付ブーケ１によれば、電池ケース１４，１５の配設のためには複数の葉部材３６、茎部材、あるいはリボン部材３３の各部材間で電池ケース１４，１５を挟持して保持すればよく、電池収容のために充てられるスペースを極めて小さくすることができる。また、各部材間の隙間は扁平な電池ケース１４，１５を配設することが可能な程度でよく、花装飾体３の造形が制約される虞を抑制ことができる。
【００４６】
また、本実施形態の発光装置付ブーケ１によれば、発光装置２を装着する際に花装飾体３及び把持部３２に対してほとんど加工を施さないことに加えて、発光装置２を花装飾体３に対して着脱可能に装着するため、発光装置２を取り外すことで花装飾体３及び把持部３２を容易に復元し、通常のブーケ等として再利用することができる。また、発光装置２が故障した場合にも、発光装置２を取り外すことができるので修理を容易にすることもできる。
【００４７】
また、本実施形態の発光装置付ブーケ１によれば、操作スイッチ８は電池ケース１４，１５とは別体になっているので、電池ケース１４，１５の配設箇所を問わず操作スイッチ８を操作に適した位置に配設することが可能である。これにより、電池ケース１４，１５を花装飾体３の形状に応じて見えにくい場所や邪魔にならない場所に配設した場合にも操作性の低下を防ぐことができる。
【００４８】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００４９】
すなわち、上記実施形態においては、電池ケース１４，１５が外観的に露出しているものを示したが、これに限定されるものではなく、電池ケース１４，１５や電気配線２０，２１，２２を覆う装飾部材を装着するものであってもよい。装飾部材としては、例えば、プラスチック製のカードや、リボン等の布製部材を示すことができる。これにより、持ち手の動きにともなって発光装置付ブーケ１の後方が見えたときにも発光装置２に気づかれにくくすることができる。
【００５０】
また、上記実施形態においては、夫々独立した２個の電池ケース１４，１５が可撓連結部１６および電気配線２０によって連結されているものを示したが、これに限定されるものではなく、一体的に構成されたものであってもよい。また、２個の扁平型電池を用いるものに限定されず、電池の数が異なるものであってもよい。
【００５１】
また、上記実施形態においては、主にプリザーブド・フラワー３１によって花装飾体３を構成するものを示したが、プリザーブド・フラワー以外の素材で花装飾体３を構成するものであってもよく、例えば、生花を用いて花装飾体３を構成してもよいし、布やプラスチックなどで作られた造花で花装飾体３を構成してもよい。また、既存のブーケを花装飾体３及び把持部３２として使用してもよい。
【００５２】
また、上記実施形態においては、ＬＥＤ２５がすべて直列に接続されたものを示したが、これに限定されるものではなく、図２（ｂ）に示す発光花装飾具５１のようにＬＥＤ等の発光体が並列に接続されていてもよい。発光花装飾具５１の発光装置５２は、図２（ａ）の発光装置２とは異なり、結節部５４，５５において電気配線が分岐し、複数のＬＥＤ２５に対して夫々電気配線５６が接続されてＬＥＤ２５が並列に接続された並列回路となっている。このような並列回路を採用すると、発光体の故障や断線によって一部の回路が分断された場合にも他の発光体の電気回路には支障が生じないため、発光演出の信頼性を高めることができる。
【００５３】
また、上記実施形態においては、掛着部２７によってＬＥＤ２５を茎部材に掛着するものを示したが、電気配線２２または電気配線５６に掛着部を適宜備えて、花装飾体に対して着脱可能に取着できるようにしてもよい。また、電池ケース１４，１５に対しても掛着部を設け、部材間に挟持されつつ周囲の部材に対して掛着され、さらに安定して保持されるようにしてもよい。
【００５４】
また、掛着部２７として、ベース部２９に設けられたＵ字形を呈するフック状のものを示したが、掛着部２７とは異なる形状のものであってもよく、弾性を有し茎部材を挟むクリップ状のものであってもよい。また、掛着部２７は、ベース部２９と一体に形成されていてもよいし、別体で形成されていてもよい。例えば、プラスチックや針金で出来たクリップ状の挟持部材であってもよいし、二又フォーク状の部材であってもよい。また、掛着するものに限らず、紐状の部材を巻きつけてＬＥＤ２５を葉部材３６や茎部材に取着するようにしてもよい。
【００５５】
また、上記実施形態においては、花装飾体３に配設される発光体としてＬＥＤ２５を用いるものを示したが、その他の発光装置を用いるものであってもよく、例えば、小型の電球であってもよいし、ハロゲンランプやＬＥＤ等の光を光ファイバー等の導光部材によって分配し発光箇所まで導くものであってもよい。
【００５６】
また、発光装置２を防水構造としてもよい。例えば、電池ケース１４，１５を蓋の無い密閉構造としたり、電池ケース１４，１５の蓋にシール材を装備して閉じた状態で密閉されるようにすると、電池ケース内への水分の浸入を防ぐので、発光装置２を花装飾体３に装着した後にも霧吹きで水を与えたり水盤に浸したりすることが可能となる。これにより、生花など水を必要とする素材を用いた場合にも花装飾体３の鮮度を保つことができる。
【００５７】
また、上記実施形態においては、ブーケの形状を呈する花装飾体３を用いており、電池ケース１４，１５が葉部材３６及び茎部材によって挟持された発光装置付ブーケ１を示したが、この構成に限定されるものではない。例えばバッグや扇子などの形状をかたどって構成された花装飾体を用いるものであってもよいし、首にかける花輪、頭に装着する髪飾り、あるいは留め具を用いて肩などに装着する装身具などの花装飾体を用いるものであってもよい。以下、図１（ｂ）に基き、他の実施形態について説明する。
【００５８】
図１（ｂ）は、本考案の異なる実施形態である発光装置付花装飾具４１の構成を斜め後方から示す斜視図である。発光装置付花装飾具４１は、花装飾体４９の上部に数珠状の把持部４７が装着され、ハンドバッグのような形状を呈している。花装飾体４９は、箱状のフレーム部材（図示しない）の前面から側面にかけて多数の葉部材４５及び花部材４６が配設されて構成されている。花装飾体４９の背面側には、花弁片４３が多数貼着された布製のリボン状部材４４がフレーム部材の背面側を略全体的に覆うように装着されている。リボン状部材４４は、左右の端部でフレーム部材に対してホック６５で着脱可能に取着されており、リボン状部材４４の中央部にはスリット状の開口６０が設けられている。
【００５９】
電池ケース４２及びスイッチケース４８は、リボン状部材４４とフレーム部材とによって挟持され、スリット状の開口６０において操作スイッチ６６を含む一部が露出しており、使用者が操作スイッチ６６を操作可能となっている。花装飾体４９には、先述の発光装置付ブーケ１の花装飾体３と同様に多数のＬＥＤ（図示しない）が配設されており、電気配線６２、操作スイッチ６６及び電気配線６１を介して電池ケース４２に内蔵された電池と電気的に直列に接続されている。ここで、リボン状部材４４が、本考案の装飾体ベース構成部材に相当し、把持部４７が、本考案の支持部材に相当し、電池ケース４２、操作スイッチ６６、電気配線６１，６２を組合わせたものが、本考案の電力供給手段に相当する。
【図面の簡単な説明】
【００６０】
【図１】本考案の実施形態の発光装置付ブーケの構成を示す斜視図、及び発光装置付花装飾具の構成を斜め後方から示す斜視図である。
【図２】発光装置付ブーケに装着した発光装置の構成を示す説明図である。
【図３】発光装置の構成の模式図である。
【符号の説明】
【００６１】
１  発光装置付ブーケ（発光花装飾具）
３，４９  花装飾体
８，６６  操作スイッチ（電力供給手段）
１４，１５，４２  電池ケース（電力供給手段）
２０，２１，２２，６１，６２  電気配線（電力供給手段）
２３，２４  扁平形電池（電力供給手段）
２５  ＬＥＤ（発光体）
２７  掛着部（着接手段）
３２  把持部（支持部）
３５  花部材
３６  葉部材（装飾体ベース構成部材）
４１  発光装置付花装飾具（発光花装飾具）
４４  リボン状部材（装飾体ベース構成部材）
４７  把持部（支持部材）
【図１】
0003147721.tif 000003
【図２】
0003147721.tif 000004
【図３】
0003147721.tif 000005